(57)【要約】      （修正有）【課題】授乳用クッションを利用することで、乳児の呼吸を妨げることなく背骨がＣカーブした状態で乳児を寝かしつけることができる乳児用寝具を安価に提供する。【解決手段】Ｃカーブ用クッション２０は、一辺と、その一辺に対向し且つ一辺よりも短い他辺２２とを有して構成されており、一辺から他辺２２に向かって厚みが漸増するように形成される。よって、授乳用クッション１０とＣカーブ用クッション２０とが組み合わされて使用される。これにより、ビーズが充填された変形自在なＣカーブ対応の乳児用寝具を購入しなくても、Ｃカーブ対応の乳児用寝具と同様に、乳児をその背骨がＣカーブした状態で寝かしつけることができる。【選択図】図４
0003181059.tif 000002
【実用新案登録請求の範囲】
【請求項１】
クッション部材で構成され乳児を載置可能な本体と、その本体の外周に開口し授乳者の胴を前記本体の外部から挿入可能な挿入用開口と、その挿入用開口と連続して前記本体に貫通形成され前記授乳者の胴に係合可能な穴部とを有する授乳用クッションと組み合わされる乳児用寝具であって、
一辺およびその一辺に対向する他辺を有し前記一辺から前記他辺に向かって厚みが漸増すると共に一辺側における厚みが前記授乳用クッションの本体より小さくなるように形成され、前記一辺側から前記授乳用クッションの挿入用開口に挿入されることで前記授乳用クッションの穴部に係合されるＣカーブ用クッションを備えることを特徴とする乳児用寝具。
【請求項２】
前記Ｃカーブ用クッションは、その一辺における両端に角状の角部を有することを特徴とする請求項１記載の乳児用寝具。
【請求項３】
前記Ｃカーブ用クッションは、その一辺と直交する方向に切断した一辺側の断面形状が尖状に形成されることを特徴とする請求項１又は２に記載の乳児用寝具。
【請求項４】
前記Ｃカーブ用クッションは、
綿により構成されるクッションと、
そのクッションを収容可能に構成され前記一辺から前記他辺に向かって容積が漸増するように形成される袋状のカバー体とを備えることを特徴とする請求項１から３のいずれかに記載の乳児用寝具。
【請求項５】
前記授乳用クッションの穴部に前記Ｃカーブ用クッションを係合させた状態で前記授乳用クッションの本体が収容可能に構成される袋状の袋体と、
その袋体に形成され前記袋体の内外を連通させる収納口と、
その収納口に沿って設けられ前記収納口を塞ぐ又は前記収納口の面積を縮小させる拘束具とを有し、前記授乳用クッション及び前記Ｃカーブ用クッションの汚れを防止するためのカバーを備えることを特徴とする請求項１から４のいずれかに記載の乳児用寝具。
【請求項６】
前記拘束具は、前記袋体の収納口における面積を縮小させるゴムで構成されることを特徴とする請求項５記載の乳児用寝具。
【請求項７】
前記拘束具は、前記袋体の収納口を塞ぐファスナーで構成されることを特徴とする請求項５記載の乳児用寝具。
【請求項８】
クッション部材で構成され乳児を載置可能な本体と、その本体の外周に開口し授乳者の胴を前記本体の外部から挿入可能な挿入用開口と、その挿入用開口と連続して前記本体に貫通形成され前記授乳者の胴に係合可能な穴部とを有する授乳用クッションと、
一辺およびその一辺に対向する他辺を有し前記一辺から前記他辺に向かって厚みが漸増すると共に一辺側における厚みが前記授乳用クッションの本体より小さくなるように形成され、前記一辺側から前記授乳用クッションの挿入用開口に挿入されることで前記授乳用クッションの穴部に係合されるＣカーブ用クッションとを備え、
前記本体は、前記乳児が載置される設置部を備え、
前記Ｃカーブ用クッションの前記他辺側における厚みは、前記授乳用クッションのうち前記本体の設置部における厚みより、小さく設定されていることを特徴とする乳児用寝具。
【請求項９】
前記Ｃカーブ用クッションの前記一辺側における厚みは、前記授乳用クッションのうち前記本体の設置部及びその設置部に接する床面の間に形成される隙間より、小さく設定されていることを特徴とする請求項８記載の乳児用寝具。
【請求項１０】
前記Ｃカーブ用クッションは、前記一辺または他辺の長さより前記一辺と前記他辺との対向長さが長く形成され、
前記Ｃカーブ用クッションの短い方である短手方向における最大幅は、前記授乳用クッションのうち前記穴部の前記Ｃカーブ用クッションが挿入される方向と直交する方向における最大幅より、大きく設定されていることを特徴とする請求項８又は９に記載の乳児用寝具。
【考案の詳細な説明】
【技術分野】
【０００１】
本考案は、乳児用寝具に関し、特に、授乳用クッションを利用することで、乳児の呼吸を妨げることなく背骨がＣカーブした状態で乳児を寝かしつけることができる乳児用寝具に関するものである。
【背景技術】
【０００２】
乳児は、お母さんの子宮内で手足を曲げて両手がなめられる姿勢をしている。このため、乳児の背骨は後湾したＣ型形状、即ち「Ｃカーブ」を呈しており、頸すわりや寝返りなどの発達に伴って大人の生理的湾曲（所謂「Ｓカーブ」）に近づいていく。
【０００３】
よって、乳児の背骨がＳカーブとなる前、具体的には首すわり前の生後３ヶ月未満までは、乳児を平坦状の寝具に寝かせると、このＣカーブを無理やりに引き延ばすような格好になる。この状態が続くと、乳児の背骨やヒップ等にはストレスがかかり、重力の影響で姿勢的な変形が起きたり、筋肉量を減少させたりする。
【０００４】
そこで、乳児の背骨がＣカーブした状態で寝かしつけることができるように、ビーズが充填された変形自在な乳児用寝具が販売されている（例えば、非特許文献１参照）。かかる乳児用寝具によれば、ビーズが乳児の姿勢に沿って自在に変形できるので、背骨がＣカーブした状態で乳児を寝かしつけることができる。これにより、乳児の情緒を安定させることができると共に背骨のゆがみ等を防止できる。
【先行技術文献】
【非特許文献】
【０００５】
【非特許文献１】“おやすみたまご”、［online］、2011年1月5日掲載開始、Amazon.co.jp［2012年10月4日検索］、インターネット(URL:http://www.amazon.co.jp/%E3%83%9E%E3%83%9E%E4%BB%A3%E8%A1%8C%E3%83%9F%E3%83%AB%E3%82%AF%E5%B1%8B%E3%81%95%E3%82%93-C%E3%82%AB%E3%83%BC%E3%83%96%E6%8E%88%E4%B9%B3%E3%83%99%E3%83%83%E3%83%89-%E3%81%8A%E3%82%84%E3%81%99%E3%81%BF%E3%81%9F%E3%81%BE%E3%81%94-S-%E6%96%B0%E7%94%9F%E5%85%90~5%E3%83%B5%E6%9C%88/dp/B004I4GNVE/ref=?ie=UTF8&m=A3A65HNFGL57BD)
【考案の概要】
【考案が解決しようとする課題】
【０００６】
しかしながら、上述した従来の乳児用寝具では、乳児の姿勢に沿ってビーズが自在に変形するので乳児の寝姿勢が容易に変化する。このため、上記乳児用寝具に乳児を寝かせると、乳児の寝姿勢の変化によっては乳児の顔が乳児用寝具に埋まって呼吸が困難となるおそれがあるという問題点があった。
【０００７】
また、乳児の背骨がＣカーブしている時期は、生後３ヶ月未満であるため、その数ヶ月のためだけにＣカーブ対応の乳児用寝具を購入するのは非経済的であるという問題点があった。
【０００８】
本考案は、上述した事情等を鑑みてなされたものであり、授乳用クッションを利用することで、乳児の呼吸を妨げることなく背骨がＣカーブした状態で乳児を寝かしつけることができる乳児用寝具を安価に提供することを目的としている。
【課題を解決するための手段および考案の効果】
【０００９】
請求項１記載の乳児用寝具によれば、授乳用クッションは、クッション部材で本体が構成され、その本体の外周に挿入用開口が開口し、その挿入用開口と連続して本体に穴部が貫通形成される。本体の外部から授乳者の胴を挿入用開口に挿入して穴部に授乳者の胴を係合させ、本体に乳児を載置することにより、授乳用クッションは乳児の授乳の際に使用されている。
【００１０】
ここで、Ｃカーブ用クッションは、一辺およびその一辺に対向する他辺を有し一辺から他辺に向かって厚みが漸増するように形成され、一辺側から授乳用クッションの挿入用開口に挿入されることで授乳用クッションの穴部に係合される。Ｃカーブ用クッションが授乳用クッションの穴部に係合されると、乳児用寝具が形成される。
【００１１】
Ｃカーブ用クッションは、一辺側における厚みがその一辺に対向する他辺側及び授乳用クッションの本体における厚みより小さいので、乳児用寝具の乳児が載置される部分（授乳用クッション及びＣカーブ用クッションの乳児設置面）には、Ｃカーブ用クッションの一辺に対応する部分がＣカーブ用クッションの他辺及び授乳用クッションの本体に対応する部分よりも深い凹み、即ち挿入方向における両端部分に比べて中央部分が深い凹みが形成される。
【００１２】
上記乳児用寝具の乳児が載置される部分に形成される凹みは、乳児の背骨における後湾したＣ型形状、即ち「Ｃカーブ」に変形可能な形状となっている。よって、ビーズが充填された変形自在な「Ｃカーブ」対応の乳児用寝具を購入しなくても、授乳用クッションを利用することで、Ｃカーブ用クッションによりＣカーブ対応の乳児用寝具を安価に形成できるという効果を奏する。しかも、授乳用クッションは一般的にビーズにより変形自在に構成されるものではないので、乳児の呼吸を妨げることなく背骨がＣカーブした状態で乳児を寝かしつけることができるという効果を奏する。
【００１３】
請求項２記載の乳児用寝具によれば、請求項１の効果に加え、Ｃカーブ用クッションは、その一辺における両端に角状の角部を有するので、各角部を授乳用クッションの穴部の周縁と係合させることで、授乳用クッションに対するＣカーブ用クッションの動きが規制される。よって、乳児が動いても、授乳用クッションに対するＣカーブ用クッションの位置がずれ難いので、上記乳児用寝具の乳児が載置される部分に形成される凹みを、乳児の背骨における後湾したＣ型形状、即ち「Ｃカーブ」に変形可能な形状に維持できるという効果を奏する。
【００１４】
請求項３記載の乳児用寝具によれば、請求項１又は２の効果に加え、Ｃカーブ用クッションは、その一辺と直交する方向に切断した一辺側の断面形状が尖状に形成されるので、Ｃカーブ用クッションの挿入方向で先端側に位置する一辺が尖った形状とされている。
【００１５】
よって、一辺側から授乳用クッションの挿入用開口に挿入されたＣカーブ用クッションが授乳用クッションの穴部に係合される際に、その尖った一辺を授乳用クッションとその授乳用クッションが設置される床面との間に挿入できる。かかる状態で授乳用クッションに乳児の体重が負荷されると、Ｃカーブ用クッションの一辺が授乳用クッションと床面との間で挟持されるので、授乳用クッションに対するＣカーブ用クッションの動きが規制される。
【００１６】
従って、乳児が動いても、授乳用クッションに対するＣカーブ用クッションの位置がずれ難いので、上記乳児用寝具の乳児が載置される部分に形成される凹みを、乳児の背骨における後湾したＣ型形状、即ち「Ｃカーブ」に変形可能な形状に維持できるという効果を奏する。
【００１７】
また、Ｃカーブ用クッションの挿入方向で先端側に位置する一辺が尖った形状とされているので、Ｃカーブ用クッションの一辺が厚みを有する場合に比べて、Ｃカーブ用クッションの一辺に対応する部分の凹みを大きく設定できる。よって、乳児用寝具の凹みを、乳児の背骨における後湾したＣ型形状、即ち「Ｃカーブ」に変形可能な形状により近づけることができるという効果を奏する。
【００１８】
請求項４記載の乳児用寝具によれば、請求項１から３のいずれかの効果に加え、Ｃカーブ用クッションは、綿により構成されるクッションと、そのクッションを収容可能に構成される袋状のカバー体とを有しており、袋体は、一辺から他辺に向かって容積が漸増するように形成されるので、Ｃカーブ用クッションの組み付け作業を容易にできるという効果を奏する。
【００１９】
即ち、クッションが綿により構成されるので、Ｃカーブ用クッションは、スポンジ状のクッションで形成される場合等に比べて、変形しやすく構成されている。よって、Ｃカーブ用クッションは、授乳用クッションと組み合わされる際に、授乳用クッションの挿入用開口及び穴部に沿う形状に変形する。
【００２０】
従って、授乳用クッションの挿入用開口及び穴部の形状が製造メーカごとに異なる場合であっても、授乳用クッションの挿入用開口にＣカーブ用クッションを挿入して授乳用クッションの穴部に係合させるというＣカーブ用クッションの組み付け作業を容易に行える。
【００２１】
請求項５記載の乳児用寝具によれば、請求項１から４のいずれかの効果に加え、カバーは、Ｃカーブ用クッションを授乳用クッションの穴部に係合させた状態で袋状の袋体に授乳用クッションの本体が収容可能に構成されており、その袋体に袋体の内外を連通させる収納口が形成される。その収納口に沿って設けられる拘束具で収納口が塞がれる又は収納口の面積が縮小されると、カバーが授乳用クッション及びＣカーブ用クッションに装着されるので、カバーにより授乳用クッション及びＣカーブ用クッションの汚れを防止できるという効果を奏する。
【００２２】
また、授乳用クッション及びＣカーブ用クッションの汚れを防止するためのカバーに、Ｃカーブ用クッションを授乳用クッションの穴部に係合させた状態で授乳用クッションの本体が収容可能に構成される袋状の袋体およびその袋体の内外を連通させる収納口だけでなく、その収納口に沿って収納口を塞ぐ又は収納口の面積を縮小させる拘束具が設けられている。
【００２３】
これにより、カバーは、拘束具により収納口に沿って収納口を塞ぐ又は収納口の面積を縮小させることで、授乳用クッション及びＣカーブ用クッションから外れないように装着される。よって、Ｃカーブ用クッションは授乳用クッションを介してカバーにより拘束されるので、授乳用クッションに対するＣカーブ用クッションのずれやＣカーブ用クッションの脱落が防止される。従って、授乳用クッション及びＣカーブ用クッションを連結する面ファスナーやホック等の連結具を別途設けることを不要にできるという効果を奏する。
【００２４】
請求項６記載の乳児用寝具によれば、請求項１から５のいずれかの効果に加え、拘束具は袋体の収納口における面積を縮小させるゴムで構成されるので、拘束具をファスナーで構成する場合に比べて、カバーの脱着が簡単であり、拘束具を安価にでき、カバーのコストを抑えることができるという効果を奏する。
【００２５】
請求項７記載の乳児用寝具によれば、請求項１から５のいずれかの効果に加え、拘束具は袋体の収納口を塞ぐファスナーで構成されるので、カバーの袋体に授乳用クッション及びＣカーブ用クッションの全体を収容できる。よって、授乳用クッション及びＣカーブ用クッションの汚れやＣカーブ用クッションの脱落を確実に防止できるという効果を奏する。
【００２６】
請求項８記載の乳児用寝具によれば、請求項１記載の乳児用寝具が奏する効果と同様の効果を奏する。加えて、授乳用クッションの本体は、乳児が載置される設置部を備えており、かかる設置部における厚みは、Ｃカーブ用クッションの他辺側における厚みより、大きく設定されているので、頭より脚を低くして背骨に負担をかけることなく乳児を寝かしつけることができるという効果を奏する。
【００２７】
請求項９記載の乳児用寝具によれば、請求項８記載の乳児用寝具が奏する効果に加え、Ｃカーブ用クッションの一辺側における厚みは、授乳用クッションのうち本体の設置部及びその設置部に接する床面の間に形成される隙間より、小さく設定されているので、Ｃカーブ用クッションの一辺側を隙間に差し込んで授乳用クッション（本体の設置部）と密着させることができる。
【００２８】
よって、Ｃカーブ用クッションの厚み方向で、授乳用クッションに対するＣカーブ用クッションの動きが規制されるので、乳児が動いても、授乳用クッションに対するＣカーブ用クッションの位置をずれ難くできる。これにより、上記乳児用寝具の乳児が載置される部分に形成される凹みを、乳児の背骨における後湾したＣ型形状、即ち「Ｃカーブ」に変形可能な形状に維持できるという効果を奏する。
【００２９】
請求項１０記載の乳児用寝具によれば、請求項８又は９の効果に加え、Ｃカーブ用クッションは、その短い方である短手方向における最大幅が、授乳用クッションのうち穴部のＣカーブ用クッションが挿入される方向と直交する方向における最大幅より大きく設定されているので、授乳用クッション（穴部の周縁）と密着させることができる。
【００３０】
よって、Ｃカーブ用クッションの幅方向で、授乳用クッションに対するＣカーブ用クッションの動きが規制されるので、乳児が動いても、授乳用クッションに対するＣカーブ用クッションの位置をずれ難くできる。これにより、上記乳児用寝具の乳児が載置される部分に形成される凹みを、乳児の背骨における後湾したＣ型形状、即ち「Ｃカーブ」に変形可能な形状に維持できるという効果を奏する。
【図面の簡単な説明】
【００３１】
【図１】本考案の一実施の形態における乳児用寝具の分解斜視図である。
【図２】（ａ）は使用状態の一例を示す乳児用寝具の斜視図であり、（ｂ）は（ａ）の乳児用の身体に沿う方向に乳児用寝具を切断した乳児用寝具の断面図である。
【図３】（ａ）はＣカーブ用クッションの平面図であり、（ｂ）は図３（ａ）のＩＩＩｂ−ＩＩＩｂ線におけるＣカーブ用クッションの断面図であり、（ｃ）は図３（ａ）のＩＩＩｃ方向から視たＣカーブ用クッションの側面図であり、（ｄ）は図３（ａ）のＩＩＩｄ方向から視たＣカーブ用クッションの側面図である。
【図４】（ａ）はカバーを取り外した状態の乳幼児寝具の平面図であり、（ｂ）は図４（ａ）のＩＶｂ−ＩＶｂ線における乳幼児寝具の断面図であり、（ｃ）は図４（ａ）のＩＶｃ−ＩＶｃ線における乳幼児寝具の断面図である。
【図５】乳幼児寝具の組み合わせ工程を示すものであり、（ａ）は授乳用クッションにＣカーブ用クッションを組み合わせる前の状態を示す乳児用寝具の平面図であり、（ｂ）は図５（ａ）のＶｂ−Ｖｂ線における乳児用寝具の断面図であり、（ｃ）は授乳用クッションにＣカーブ用クッションを組み合わせた後の状態を示す乳児用寝具の平面図であり、（ｄ）は図５（ｃ）のＶｄ−Ｖｄ線における乳児用寝具の断面図であり、（ｅ）はＣカーブ用クッションと組み合わせられた授乳用クッションをカバーで覆った状態を示す乳児用寝具の平面図であり、（ｆ）は図５（ｅ）のＶｆ−Ｖｆ線における乳児用寝具の断面図である。
【考案を実施するための形態】
【００３２】
以下、本考案の好ましい実施形態について、添付図面を参照して説明する。まず、図１及び図２を参照して、本考案の一実施の形態における乳児用寝具１の構成を説明する。図１は、本考案の一実施の形態における乳児用寝具１の分解斜視図であり、カバー３０は収納口３２の形状を示すために裏面側が図示されている。図２（ａ）は使用状態の一例を示す乳児用寝具１の斜視図であり、図２（ｂ）は、図２（ａ）の縦方向に切断した乳児用寝具１の側断面図である。なお、図２（ｂ）において、乳児との関係が分かるように乳児用寝具１に寝かしつけられた乳児が参考図示されている。また、図２（ｂ）において、授乳用クッション１０とその授乳用クッション１０を覆うカバー３０とは密着するが、説明のため隙間を授乳用クッション１０との間に隙間を空けてカバー３０が図示されている。
【００３３】
図１に示すように、本実施形態の乳児用寝具１は、授乳の際に使用される授乳用クッション１０と、その授乳用クッション１０と組み合わされると共に組み合わせ始端から終端に向かって厚みが漸増するように形成されるＣカーブ用クッション２０と、そのＣカーブ用クッション２０と組み合わされた授乳用クッション１０を覆うカバー３０とを備えて構成される。
【００３４】
授乳用クッション１０は、授乳を行う母親の多くが所持している固めのクッションであって、授乳者が乳児に対して授乳を行う際に授乳者の胴に係合させて使用される。授乳用クッション１０は、乳児が載置される設置部１１ａを有し固めのクッション部材で構成される本体１１と、その本体１１の外周に開口し授乳者の胴を本体の外部から挿入可能な挿入用開口１２と、その挿入用開口１２と連続して本体１１に貫通形成され授乳者の胴に係合可能な穴部１３とを備えて構成され、先細りのＵ字型に形成されている。
【００３５】
図１及び図２に示すように、乳児用寝具１によれば、授乳用クッション１０の穴部１３に授乳者の胴に係合させる代わりに挿入用開口１２からＣカーブ用クッション２０を穴部１３に挿入して使用される。これにより、ビーズが充填された変形自在なＣカーブ対応の乳児用寝具を購入しなくても、Ｃカーブ対応の乳児用寝具と同様に、乳児をその背骨がＣカーブした状態で寝かしつけることができる。しかも、授乳用クッション１０における本体１１の設置部１１ａは、乳児の授乳姿勢を維持するために通常固めに形成される。よって、本体１１の設置部１１ａに乳児の頭が配置されるようにすることで、乳児の呼吸を妨げることを確実に防止できる。また、授乳の際に使用される授乳用クッション１０は、授乳を行う母親の多くが所持しているので、この授乳用クッション１０を利用することで、ビーズが充填された変形自在な従来のＣカーブ対応の乳児用寝具に比べて、安価に乳児用寝具１を形成できる。
【００３６】
図３及び図４を参照して、Ｃカーブ用クッション２０の具体的構成について説明する。図３（ａ）はＣカーブ用クッション２０の平面図であり、図３（ｂ）は図３（ａ）のＩＩＩｂ−ＩＩＩｂ線におけるＣカーブ用クッション２０の断面図であり、図３（ｃ）は図３（ａ）のＩＩＩｃ方向から視たＣカーブ用クッション２０の側面図であり、図３（ｄ）は図３（ａ）のＩＩＩｄ方向から視たＣカーブ用クッション２０の側面図である。なお、図３（ｂ）において、Ｘで示される部分が拡大図示されている。
【００３７】
図４（ａ）はカバー３０を取り外した状態の乳幼児寝具１の平面図であり、図４（ｂ）は図４（ａ）のＩＶｂ−ＩＶｂ線における乳幼児寝具１の断面図であり、図４（ｃ）は図４（ａ）のＩＶｃ−ＩＶｃ線における乳幼児寝具１の断面図である。
【００３８】
図３及び図４に示すように、Ｃカーブ用クッション２０は、授乳用クッション１０の挿入用開口１２から挿入されて穴部１３に係合される授乳用クッション１０より柔らかめのクッションであって、変形可能な五面体に形成されている。
【００３９】
図３（ａ）に示すように、Ｃカーブ用クッション２０は、一辺２１と、その一辺２１に対向し且つ一辺２１よりも短い他辺２２と、一辺２１および他辺２２の両端を連結する一対の対向辺２３と、一辺２１、他辺２２及び一対の対向辺２３で形成される台形状の一対の表裏面２０ａ１と、一対の表裏面２０ａ１を一辺２１に直交する方向で（図３（ａ）上下方向）で連結する三角状の一対の側面２０ａ３と、一対の表裏面２０ａ１を一辺２１の延設方向（図３（ａ）左右方向）で連結する長方形状の平面２０ａ４とを有して構成されており、び図３（ｃ）に示すように、一辺２１から他辺２２に向かって（図３（ｃ）左から右に向かって）厚みが漸増するように形成される。
【００４０】
図３（ａ）及び図３（ｃ）に示すように、Ｃカーブ用クッション２０は、一辺２１、他辺２２及び一対の対向辺２３で形成される表裏面２０ａ１が台形状であるので、その一辺２１における両端に角状の角部２４を備えて構成されている。Ｃカーブ用クッション２０は、一対の表裏面２０ａ１を一辺２１と直交する方向（図３（ａ）上下方向）に連結する側面２０ａ３が三角状であるので、一辺２１と直交する方向に切断した一辺２１側の先端部分における（図３（ｃ）左側）の断面形状が尖状に形成される。
【００４１】
図３に示すように、Ｃカーブ用クッション２０は、綿により構成されるクッション２０ｂと、そのクッション２０ｂを収容可能に構成され一辺２１から他辺２２に向かって容積が漸増するように形成される五面体の袋状のカバー体２０ａと、そのカバー体２０ａにおける一対の対向辺２３のうち一方に設けられクッション２０ｂの綿を出し入れする開口である出し入れ口２０ｃと、その出し入れ口２０ｃを開閉する線ファスナー２０ｄとを備えて構成される。
【００４２】
クッション２０ｂが綿により構成されるので、クッション２０ｂがスポンジ状のクッションで形成される場合等に比べて、Ｃカーブ用クッション２０は変形しやすく構成されている。よって、Ｃカーブ用クッション２０は、授乳用クッション１０と組み合わされる際に、授乳用クッション１０の挿入用開口１２及び穴部１３に沿う形状に変形する。これにより、授乳用クッション１０の穴部１３に密着した状態で係合されるので、授乳用クッション１０の穴部１３がＣカーブ用クッション２０により隙間なく塞がれるとで、乳児用寝具１における乳児の寝心地を向上できる。
【００４３】
図３に示すように、カバー体２０ａは、長方形である２枚の同一形状の布で形成される。具体的には、２枚の布の出し入れ口２０ｃに対応する部分に線ファスナー２０ｄを縫い付けた後、残りの縁を縫い合わせて袋状に形成される。形成された袋状のものの表裏面２０ａ１は同一形状の長方形となっており厚みを有しないが、他辺２２の角部（図示せず）を内側に折り曲げて所定の長さのマチ２０ａ２を形成することにより、Ｃカーブ用クッション２０の側面２０ａ３が一辺２１側を頂点、他辺２２側を底面とする三角形状とされている。
【００４４】
これにより、Ｃカーブ用クッション２０は、カバー体２０ａが長方形である２枚の同一形状の布で形成される場合であっても、マチ２０ａ２の分だけ一辺２１から他辺２２に向かって厚みが漸増するように形成される。また、カバー体２０ａは、長方形である２枚の同一形状の布で形成されるので、他の四角形等で形成される場合に比べて、裁断における布の余りを少なくできコストメリットを図ることができる。
【００４５】
２枚の布の出し入れ口２０ｃに対応する部分に線ファスナー２０ｄが設けられているので、クッション２０ｂにおける綿の充填量を増減できる。よって、乳児の成長に合わせてＣカーブ用クッション２０の高さや堅さを調節できるので、月齢の異なる乳児に対して広く使用できる。
【００４６】
図３（ｂ）に示すように、Ｃカーブ用クッション２０は一辺２１側の先端部分における断面形状が尖状とされているので、図４に示すように、一辺２１側の先端部分を、授乳用クッション１０のうち本体１１の設置部１１aの下面及び床面Ｌの間に形成される隙間Ｓ（以下「設置部１１aと床面Ｌとの隙間Ｓ」と称す）に押し込むことができる。よって、Ｃカーブ用クッション２０の一辺２１側を上記隙間Ｓに差し込んで授乳用クッション１０の本体１１（設置部１１ａ）と密着させることができる。
【００４７】
また、Ｃカーブ用クッション２０は、その一辺２１における両端に角状の角部２４を備えているので、各角部２４を授乳用クッション１０の穴部１３の周縁と係合させることで、授乳用クッション１０に対するＣカーブ用クッション２０の動きが規制される。これにより、乳児が動いても、授乳用クッション１０に対するＣカーブ用クッション２０の位置がずれ難いので、乳児用寝具１の乳児が載置される部分に形成される凹み１aを、乳児の背骨における後湾したＣ型形状、即ち「Ｃカーブ」に変形可能な形状に維持できる。
【００４８】
Ｃカーブ用クッション２０の尖った一辺２１側を上記隙間Ｓに挿入して授乳用クッション１０の本体１１（設置部１１ａ）と密着させた状態で授乳用クッション１０の本体部１１に乳児の体重が負荷されると、Ｃカーブ用クッション２０の一辺２１が授乳用クッション１０と床面Ｌとで挟持されるので、授乳用クッション１０に対するＣカーブ用クッション２０の動きが規制される。
【００４９】
従って、乳児用寝具１によれば、乳児が動いても、授乳用クッション１０に対するＣカーブ用クッション２０の位置がずれ難いので、上記凹み１a（乳児用寝具１の乳児が載置される部分に形成される凹み）を、乳児の背骨における後湾したＣ型形状、即ち「Ｃカーブ」に変形可能な形状に維持できる。
【００５０】
また、Ｃカーブ用クッション２０の挿入方向（図４（ｂ）右から左に向かう方向）で先端側に位置する一辺２１側の断面形状が尖状とされているので、Ｃカーブ用クッション２０の一辺２１側の断面形状が厚みを有する場合に比べて、上記凹み１a（乳児用寝具１の乳児が載置される部分に形成される凹み）のうち、Ｃカーブ用クッション２０の一辺２１に対応する部分の凹み量を大きく設定できる。
【００５１】
よって、乳児用寝具１によれば、乳児用寝具１の上記凹み１aを、乳児の背骨における後湾したＣ型形状、即ち「Ｃカーブ」に変形可能な形状により近づけることができるので、乳児の寝姿勢を安定させることができる。
【００５２】
図４（ｂ）に示すように、Ｃカーブ用クッション２０が押し込まれて授乳用クッション１０が圧縮されたときの授乳用クッション１０とＣカーブ用クッション２０との接点ｐにおける、授乳用クッション１０を取り外したときのＣカーブ用クッション２０の厚みｔ１（外力が加わっていないときの授乳用クッション１０の接点ｐにおけるＣカーブ用クッション２０の本来の厚みｔ１（「Ｃカーブ用クッション２０の接点ｐにおける厚みｔ１」と称す）、図３（ｂ）参照）は、設置部１１aと床面Ｌとの隙間Ｓより、大きく設定されている。
【００５３】
よって、図４（ａ）及び図４（ｂ）に示すように、Ｃカーブ用クッション２０を、授乳用クッション１０の縦方向（図４（ｂ）左右方向）断面視で円弧状の本体部１１における穴部１３の周縁形状に沿って変形させることができる。従って、上記厚みｔ１が上記隙間Ｓより小さい場合に比べて、授乳用クッション１０の本体１１（設置部１１ａ）との密着面積を増大させることができる。
【００５４】
乳児用寝具１によれば、Ｃカーブ用クッション２０と授乳用クッション１０の本体１１（設置部１１ａ）とが密着し、しかもその密着面積も大きいので、Ｃカーブ用クッション２０の厚み方向（図４（ｂ）上下方向）で、授乳用クッション１０に対するＣカーブ用クッション２０の動きを規制できる。
【００５５】
図３（ｃ）、図４（ｂ）及び図４（ｃ）に示すように、Ｃカーブ用クッション２０は、外力が加わっていないときの授乳用クッション１０の接点ｐにおける厚みｔ１がその一辺２１に対向する他辺２２側における厚みｔ２及び授乳用クッション１０の本体１１における厚みｔ３より小さく設定されている。Ｃカーブ用クッション２０の他辺２２側における厚みｔ２は、授乳用クッション１０の本体１１（設置部１１a）における厚みｔ３及び授乳用クッション１０のＵ字型の先細り部分における厚みｔ４より、小さく設定されている。
【００５６】
また、Ｃカーブ用クッション２０の他辺２２側における厚みｔ２は、授乳用クッション１０の本体１１（設置部１１a）における厚みｔ３より、小さく設定されているので、頭より脚を低くして背骨に負担をかけることなく乳児を寝かしつけることができる。さらに、上記厚みｔ２は、授乳用クッション１０のＵ字型の先細り部分における厚みｔ４より、小さく設定されているので、乳児が寝返りを行っても授乳用クッション１０の先細り部分が乳児の移動を阻止する。よって、乳児用寝具１の上記凹み１aから横方向（図４（ｃ）左右方向）に転がり落ちるのを防止できる。
【００５７】
図３（ａ）及び図４（ａ）に示すように、Ｃカーブ用クッション２０は、表裏面２０ａ１の短い方である短手方向（図３（ａ）左右方向）における最大幅Ｈ１が、授乳用クッション１０のうち穴部１３のＣカーブ用クッション２０が挿入される方向と直交する方向（図４（ａ）上下方向）における最大幅Ｈ２より大きく設定されている。
【００５８】
よって、授乳用クッション１０及びＣカーブ用クッション２０を弾性変形させることでＣカーブ用クッション２０を授乳用クッション１０（穴部１３の周縁）と密着させることができる。従って、Ｃカーブ用クッション２０の短手方向で、授乳用クッション１０に対するＣカーブ用クッション２０の動きが規制されるので、乳児が動いても、授乳用クッション１０に対するＣカーブ用クッション２０の位置をずれ難くできる。
【００５９】
Ｃカーブ用クッション２０は、授乳用クッション１０の接点ｐにおける厚みｔ１がその一辺２１に対向する他辺２２側における厚みｔ２及び授乳用クッション１０の本体１１における厚みｔ３より小さいので、乳児用寝具１の乳児が載置される部分（授乳用クッション１０及びＣカーブ用クッション２０の乳児設置面であって、授乳用クッション１０における本体１１の設置部１１ａ及びＣカーブ用クッション２０の表裏面２０ａ１の上方）には、Ｃカーブ用クッション２０の一辺２１に対応する部分がＣカーブ用クッション２０の他辺２２及び授乳用クッション１０の本体１１に対応する部分よりも深い凹み、即ち挿入方向（図４（ｂ）右から左に向かう方向）における両端部分に比べて中央部分が深い凹み１aが形成される。
【００６０】
しかも、授乳用クッション１０の本体１１は、乳児が授乳姿勢を保つことができるように通常固めに形成されているので、ビーズにより変形自在に構成されるものではない。また、授乳用クッション１０の本体１１に乳児の頭が配置される。よって、乳児用寝具１によれば、上記凹み１aにより乳児の呼吸を妨げることなく背骨がＣカーブした状態で乳児を寝かしつけることができる。Ｃカーブ用クッション２０の全長（図４（ａ）上下方向における長さ）は、授乳用クッション１０の挿入用開口１２から穴部１３までの開口全体の長さ（図３参照、図３（ａ）左右方向における長さ）より、長く設定されている。よって、乳児の背骨における「Ｃカーブ」に合わせて上記凹み１ａを形成できる。
【００６１】
図１及び図２に戻って、カバー３０の具体的構成について説明する。図１及び図２に示すように、カバー３０は、授乳用クッション１０及びＣカーブ用クッション２０の汚れを防止するためのものであって、授乳用クッション１０にＣカーブ用クッション２０を係合させた状態で授乳用クッション１０の本体１１が収容可能に構成される袋状の袋体３１と、その袋体３１に形成され袋体３１の内外を連通させる収納口３２と、その収納口３２に沿って設けられ収納口３２の面積を縮小させるゴム３３とを備えて構成されている。
【００６２】
Ｃカーブ用クッション２０を授乳用クッション１０の穴部１３（図４参照）に係合させた状態で袋状の袋体３１に授乳用クッション１０の本体１１（図４参照）が収容された後、収納口３２に沿って設けられるゴム３３で収納口３２の面積が縮小されると、カバー３０が授乳用クッション１０及びＣカーブ用クッション２０に装着される。よって、カバー３０により授乳用クッション１０及びＣカーブ用クッション２０の汚れを防止できる。
【００６３】
次に、図５を参照して、乳幼児寝具１の組み合わせ工程について説明する。図５（ａ）は授乳用クッション１０にＣカーブ用クッション２０を組み合わせる前の状態を示す乳児用寝具１の平面図であり、図５（ｂ）は図５（ａ）のＶｂ−Ｖｂ線における乳児用寝具１の断面図であり、図５（ｃ）は授乳用クッション１０にＣカーブ用クッション２０を組み合わせた後の状態を示す乳児用寝具１の平面図であり、図５（ｄ）は図５（ｃ）のＶｄ−Ｖｄ線における乳児用寝具１の断面図である。図５（ｅ）はＣカーブ用クッション２０と組み合わせられた授乳用クッション１０をカバー３０で覆った状態を示す乳児用寝具１の平面図であり、図５（ｆ）は図５（ｅ）のＶｆ−Ｖｆ線における乳児用寝具１の断面図である。
【００６４】
図５（ａ）に示すように、Ｃカーブ用クッション２０は、一辺２１側から授乳用クッション１０の挿入用開口１２に挿入された後、挿入方向（図５（ａ）右から左に向かう方向）に押し込まれることで授乳用クッション１０の穴部１３に係合される、この場合、Ｃカーブ用クッション２０は変形容易に構成されているので、図５（ｂ）に示すように、授乳用クッション１０の穴部１３をＣカーブ用クッション２０により隙間なく容易に塞ぐことができる。
【００６５】
従って、乳児用寝具１によれば、授乳用クッション１０の挿入用開口１２及び穴部１３の形状が製造メーカごとに異なる場合であっても、授乳用クッション１０の挿入用開口１２にＣカーブ用クッション２０を挿入して授乳用クッション１０の穴部１３に係合させるというＣカーブ用クッション２０の組み付け作業を容易に行える。
【００６６】
図５（ｃ）に示すように、穴部１３がＣカーブ用クッション２０により隙間なく塞がれた授乳用クッション１０にカバー３０が装着される。本実施の形態では、授乳用クッション１０に対するＣカーブ用クッション２０のずれや移動の際のＣカーブ用クッション２０の脱落を確実に防止するために、授乳用クッション１０及びＣカーブ用クッション２０の汚れを防止するためのカバー３０を利用している。
【００６７】
ここで、授乳用クッション１０に対するＣカーブ用クッション２０のずれや移動の際のＣカーブ用クッション２０の脱落を確実に防止するためには、面ファスナーやホック等の連結具（図示せず）を授乳用クッション１０及びＣカーブ用クッション２０のそれぞれに設ける手段が考えられる。
【００６８】
しかしながら、この手段によれば、授乳用クッション１０及びＣカーブ用クッション２０のそれぞれに連結具を取り付ける等の作業が別途必要となる。しかも、乳児用寝具１は、市販の授乳用クッション１０を利用するものであり、授乳用クッション１０に予め連結具を取り付けることができないので、少なくとも授乳用クッション１０については、購入者が連結具を取付けなければならず煩雑である。
【００６９】
そこで、乳児用寝具１によれば、授乳用クッション１０及びＣカーブ用クッション２０の汚れを防止するためのカバー３０に、Ｃカーブ用クッション２０を授乳用クッション１０の穴部１３に係合させた状態で授乳用クッション１０の本体１１が収容可能に構成される袋状の袋体３１およびその袋体３１の内外を連通させる収納口３２（図１参照）を設け、さらに、その収納口３２に沿って収納口３２の面積を縮小させるゴム３３（図１参照）が設けられている。
【００７０】
これにより、カバー３０は、ゴム３３により収納口３２の面積を縮小させることで、授乳用クッション１０及びＣカーブ用クッション２０から外れないように装着される。よって、Ｃカーブ用クッション２０は授乳用クッション１０を介してカバー３０により拘束されるので、授乳用クッション１０に対するＣカーブ用クッション２０のずれやＣカーブ用クッション２０の脱落が防止される。
【００７１】
従って、授乳用クッション１０及びＣカーブ用クッション２０の汚れを防止するためのカバー３０を利用して、授乳用クッション１０に対するＣカーブ用クッション２０のずれやＣカーブ用クッション２０の脱落を防止できるので、授乳用クッション１０及びＣカーブ用クッション２０を連結する面ファスナーやホック等の連結具を不要にできる。
【００７２】
以上、本実施形態に基づき本考案を説明したが、本考案は上記実施形態に何ら限定されるものではなく、本考案の趣旨を逸脱しない範囲内で種々の改良変形が可能であることは容易に推察できるものである。
【００７３】
例えば、本実施形態では、カバー３０に収納口３２に沿って袋体３１の収納口３２の面積を縮小させるゴム３３を設けたが、必ずしもこれに限られるものではなく、収納口３２に沿って袋体３１の収納口３２を塞ぐファスナーを設けてもよい。
【００７４】
これにより、カバー３０の袋体３１に授乳用クッション１０及びＣカーブ用クッション２０の全体を収容できる。よって、授乳用クッション１０及びＣカーブ用クッション２０の汚れやＣカーブ用クッション２０の脱落を確実に防止できる。
【００７５】
また、本実施形態では、授乳用クッション１０に対するＣカーブ用クッション２０のずれや移動の際のＣカーブ用クッション２０の脱落を確実に防止するために、カバー３０を利用したが、必ずしもこれに限られるものではなく、面ファスナーやホック等の連結具を授乳用クッション１０及びＣカーブ用クッション２０のそれぞれに設けてもよい。この場合は、カバー３０を省略できるので、部品点数の削減を図れる。よって、組み付け作業の簡素化を図ることができる。
【符号の説明】
【００７６】
１        乳児用寝具
１０      授乳用クッション
１１      本体
１１a    設置部
１２      挿入用開口
１３      穴部
２０      Ｃカーブ用クッション
２０ａ    カバー体
２０ｂ    クッション
２１      一辺
２２      他辺
２４      角部
３０      カバー
３１      袋体
３２      収納口
３３      ゴム（拘束具）
Ｌ        床面
Ｓ        隙間
Ｈ１      表裏面の短い方である短手方向における最大幅（Ｃカーブ用クッションの短い方である短手方向における最大幅）
Ｈ２        授乳用クッションのうち穴部のＣカーブ用クッションが挿入される方向と直交する方向における最大幅（授乳用クッションのうち穴部のＣカーブ用クッションが挿入される方向と直交する方向における最大幅）
ｔ２      他辺側における厚み
ｔ３      授乳用クッションの本体における厚み
【図１】
0003181059.tif 000003
【図２】
0003181059.tif 000004
【図３】
0003181059.tif 000005
【図４】
0003181059.tif 000006
【図５】
0003181059.tif 000007